(57)【要約】      （修正有）【課題】塗布部の軸心と先筒の傾斜部の軸心が一致し描きやすく且つ組み立てを容易とし品質及び使用性を向上する。【解決手段】塗布体４を、容器本体１先端側に位置する先筒２のその先端側に形成された傾斜部２ｂの筒孔２ｃに挿入し、容器本体１内部の液状化粧料を送るべく容器本体１及び先筒２内に配置され前後方向に延びる中継芯３と、先筒２の傾斜部２ｂの内面２ｄとの間に挟み込んで中継芯３と接触させる構成によって、塗布体４と中継芯３とを別部材とし塗布体４及び中継芯３に曲りを不要とする。従って、塗布体４及び中継芯３が液状化粧料を含浸しても、先筒２先端の開口２ａから突出する塗布部４ａに反り返りが生ぜず、塗布部４ａと傾斜部２ｂの軸心を一致できる。また、このように塗布体４を先筒２の傾斜部２ｂの内面２ｄと中継芯３との間に挟み込むという簡易な構成で、塗布体４と中継芯３を確実に接続し液状化粧料を塗布部４ａに供給できる。【選択図】図３
2019187793.tif 000002
【特許請求の範囲】
【請求項１】
液状化粧料を収容する収容部を内部に有する容器本体と、
筒状に構成されて前記容器本体の先端側に位置し、筒孔が前記収容部に連通する先筒と、
前記容器本体及び前記先筒内に配置され、前記液状化粧料を送るための中継芯と、
前記中継芯から前記液状化粧料を受け取ると共に、前記先筒の先端の開口から突出した部分が塗布部を形成する塗布体と、を備え、
前記中継芯は、前後方向に延びると共に後端が前記収容部内に位置し、
前記先筒は、その先端側に、前記容器本体の軸心に対して傾斜した傾斜部を有し、
前記塗布体は、前記傾斜部の筒孔に挿入され、前記中継芯と前記先筒の内面との間に挟み込まれるようにして前記中継芯と接触していることを特徴とする液状化粧料容器。
【請求項２】
前記中継芯には、前記中継芯が前端に向かって先細となるように、前記中継芯の軸心に対して傾斜して延びる傾斜面が形成され、
前記塗布体が、前記傾斜面と前記先筒の内面との間に挟み込まれるようにして前記中継芯と接触していることを特徴とする請求項１記載の液状化粧料容器。
【請求項３】
前記先筒の筒孔が、当該筒孔の軸線に垂直な断面が扁平形状を成す扁平筒孔部を有し、
前記塗布体と前記中継芯は、前記扁平筒孔の長軸方向に並設されて収容され、前記塗布体は、前記扁平筒孔部の内面と前記中継芯との間に挟み込まれるようにして前記中継芯と接触してことを特徴とする請求項１又は２記載の液状化粧料容器。
【請求項４】
前記先筒は、前記傾斜部から前記容器本体の軸線に沿って後方へ延びその筒孔に前記中継芯が挿入される基部を有し、
前記基部の前記筒孔は、前記基部の軸心に対して前記傾斜部の傾斜している側に偏心した軸心を有することを特徴とする請求項１〜３の何れか一項に記載の液状化粧料容器。
【発明の詳細な説明】
【技術分野】
【０００１】
本発明は、液状化粧料を塗布するための液状化粧料容器に関する。
【背景技術】
【０００２】
従来、ペンシル型の液状化粧料容器にあっては、鏡を見ながら化粧をする際に、容器を構成する軸筒（容器本体）が邪魔となって塗布先が見難いため、これを解決する液状化粧料容器が以下の特許文献１、２に記載されている。特許文献１、２に記載の液状化粧料容器は、容器本体の先端に設けられた先筒の先端部を、容器本体の軸心に対して傾斜する傾斜部とし、容器本体内の液状化粧料を直線状に送り出す中継芯を、傾斜部の筒孔に倣って途中で曲げて傾斜させ、傾斜部の先端の開口から突出している中継芯の先端の塗布部により、液状化粧料を塗布する構成を採用している。これにより、鏡を見ながら化粧をする際に容器が邪魔にならず塗布先が見やすくなっている。
【０００３】
ここで、途中で曲げられた例えば合成繊維等から成る中継芯は、液状化粧料を含浸すると傾斜する前の状態に戻るように反り返る特性を有し、中継芯の先端の塗布部の軸心が、先筒の傾斜部の軸心からずれてしまい、描き難いという問題がある。
【０００４】
そこで、特許文献１では、傾斜部の筒孔の軸心が、傾斜部の軸心が容器本体の軸心に対して傾斜する傾斜方向と同方向に、さらに傾斜部の軸心より傾斜する構成を採用し、塗布部が元に戻ろうと反ると、傾斜部の軸心に塗布部の軸心が近付き、傾斜部と塗布部との軸心同士が概ね合った状態となるようにしている。また、特許文献２では、傾斜部のうち中継芯が反ろうとする側の前端部を前側に伸延することにより、当該前側に伸延している前端部によって、塗布部の反りを抑えるようにしている。
【先行技術文献】
【特許文献】
【０００５】
【特許文献１】特開２０１７−１５３６７６号公報
【特許文献２】特開２０１７−１５３６７７号公報
【発明の概要】
【発明が解決しようとする課題】
【０００６】
しかしながら、特許文献１、２の何れの液状化粧料容器も、曲げられた中継芯が液状化粧料を含浸した場合に元に戻ろうと反ることを、根本的に生じないようにするものではないため、根本的な解決の要求がある。
【０００７】
そこで、本発明は、簡易な構成で、塗布部に反り返りが生じることがなく、塗布部の軸心と傾斜部の軸心が一致し描きやすい液状化粧料容器を提供することを目的とする。
【課題を解決するための手段】
【０００８】
本発明による液状化粧料容器は、液状化粧料を収容する収容部を内部に有する容器本体と、筒状に構成されて容器本体の先端側に位置し、筒孔が収容部に連通する先筒と、容器本体及び先筒内に配置され、液状化粧料を送るための中継芯と、中継芯から液状化粧料を受け取ると共に、先筒の先端の開口から突出した部分が塗布部を形成する塗布体と、を備え、中継芯は、前後方向に延びると共に後端が収容部内に位置し、先筒は、その先端側に、容器本体の軸心に対して傾斜した傾斜部を有し、塗布体は、傾斜部の筒孔に挿入され、中継芯と先筒の内面との間に挟み込まれるようにして中継芯と接触していることを特徴としている。
【０００９】
このような液状化粧料容器によれば、塗布体は、容器本体の先端側に位置する先筒のその先端側に形成された傾斜部の筒孔に挿入され、容器本体内部の液状化粧料を送るべく容器本体及び先筒内に配置され前後方向に延びる中継芯と、先筒の傾斜部の内面との間に挟み込まれて中継芯と接触している。このため、塗布体と中継芯とは別部材で構成され、塗布体及び中継芯には曲りを必要としない。従って、塗布体及び中継芯が液状化粧料を含浸しても、塗布体において先筒の先端の開口から突出する塗布部に反り返りが生じることはなく、塗布部の軸心と先筒の傾斜部の軸心が一致し描きやすい液状化粧料容器となる。また、このように、塗布体を、先筒の傾斜部の内面と中継芯との間に挟み込むという簡易な構成で、塗布体と中継芯とを確実に接続し液状化粧料を塗布部に供給できるため、組み立てを容易とし品質及び使用性を向上できる。
【００１０】
ここで、中継芯には、中継芯が前端に向かって先細となるように、中継芯の軸心に対して傾斜して延びる傾斜面が形成され、塗布体が、傾斜面と先筒の内面との間に挟み込まれるようにして中継芯と接触していると、中継芯の先細となる傾斜面が、塗布体の中継芯側の外面に倣って密着するため、塗布体は、前側中継芯の先端の傾斜面と先筒の傾斜部の内面との間に一層しっかり挟み込まれて中継芯に接触することになり、組立時に塗布体と中継芯を容易且つ確実に接触させることができ、組み立てが一層容易となる。
【００１１】
また、先筒の筒孔が、当該筒孔の軸線に垂直な断面が扁平形状を成す扁平筒孔部を有し、塗布体と中継芯は、扁平筒孔部の扁平筒孔の長軸方向に並設されて収容され、塗布体は、扁平筒孔部の内面と中継芯との間に挟み込まれるようにして中継芯と接触していると、塗布体及び中継芯が円形の孔に並設されて収容される場合に比して、中継芯の短軸方向へのずれを扁平筒孔部により抑制できる。
【００１２】
また、先筒は、傾斜部から容器本体の軸線に沿って後方へ延びその筒孔に中継芯が挿入される基部を有し、基部の筒孔は、基部の軸心に対して傾斜部の傾斜している側に偏心した軸心を有すると、基部の筒孔に挿入される中継芯の先端部が、塗布体の中継芯側の外面に一層容易且つ確実に接触することになる。
【発明の効果】
【００１３】
このように本発明によれば、塗布体及び中継芯が液状化粧料を含浸しても塗布部に反り返りが生じることはなく塗布部の軸心と先筒の傾斜部の軸心が一致し描きやすく、且つ組み立てを容易とし品質及び使用性を向上できる液状化粧料容器を提供できる。
【図面の簡単な説明】
【００１４】
【図１】本発明の実施形態に係る液状化粧料容器を示す縦断面図である。
【図２】図１に示す液状化粧料容器からキャップを取り外した状態を示す側面図である。
【図３】図１に示す液状化粧料容器の要部を拡大して示す縦断面図である。
【図４】図３のIV -IV矢視図である。
【図５】図３中の先筒を示す縦断面図である。
【図６】図５のVI-VI矢視図である。
【図７】図５のVII-VII矢視図である。
【図８】図５に示す先筒の背面図である。
【図９】図３中の前側中継芯を示す斜視図である。
【図１０】図９に示す前側中継芯の側面図である。
【図１１】図３中の塗布体を示す斜視図である。
【図１２】図１１に示す塗布体の側面図である。
【発明を実施するための形態】
【００１５】
以下、本発明による液状化粧料容器の好適な実施形態について図１〜図１２を参照しながら説明する。図１は、本発明の実施形態に係る液状化粧料容器を示す縦断面図、図２は、図１からキャップを取り外した側面図、図３は、図１の要部の拡大縦断面図、図４は、図３のIV-IV矢視図、図５〜図８は、先筒を示す各図、図９及び図１０は、前側中継芯を示す各図、図１１及び図１２は、塗布体を示す各図であり、本実施形態の液状化粧料容器は、液状化粧料を被塗布部に塗布する際に適宜使用者により用いられるものである。
【００１６】
図１及び図２に示すように、液状化粧料容器１００は、全体形状が筆記具の如き細長い丸棒状を呈するものであり、容器本体１及び先筒２と、図１に示すように、容器本体１の内部に設けられ液状化粧料Ｌを収容する収容部１ａと、容器本体１及び先筒２内に収容され、前後方向に延び収容部１ａ内の液状化粧料Ｌを先端側に送るための中継芯３と、先筒２内に収容され中継芯３からの液状化粧料Ｌを受け取ると共に当該先筒２の先端の開口２ａから突出した部分が塗布部４ａを形成する塗布体４と、中継芯３の後半部を囲繞するように配置された略円筒状のジャバラ部材５と、を概略備える。
【００１７】
この液状化粧料容器１００にあっては、先筒２の先端側が、容器本体１の軸心に対して傾斜する傾斜部２ｂを有しており、先筒２の先端の開口２ａに続く筒孔２ｃは同様な傾斜角度で傾斜し、この傾斜部２ｂの傾斜筒孔２ｃに塗布体４が挿入され、塗布体４の後端部が、中継芯３の先端側と先筒２の傾斜部２ｂの内面２ｄとの間に挟み込まれるように配設される構成となっている（図３参照）。
【００１８】
なお、ここでは、使用者が容器本体１を持って塗布しやすいように、容器本体１に対して、有底円筒状の把持筒６が外挿され着脱可能に装着される。また、容器本体１の先端側には、塗布部４ａ及び先筒２を保護すべく容器本体１に対してキャップ７が外挿され着脱自在に装着される。
【００１９】
容器本体１は、例えばＰＰ（ポリプロピレン）等から形成され、鍔付きで先細の円筒状に構成される。容器本体１の外周面に設けられた鍔部１ｂの後端面には、把持筒６の先端面が突き当てられ、鍔部１ｂの先端面には、容器本体１に装着されたキャップ７の開放端面が突き当てられる。容器本体１の後端の開口は、尾栓８を容器本体１に装着することにより閉じられている。
【００２０】
ジャバラ部材５は、液状化粧料Ｌの液量を調節するためのもので、例えばＰＰ等から形成される。ジャバラ部材５は、液状化粧料Ｌを含む溝（ジャバラ）を有し、その円筒状の後端部５ａが、容器本体１の内周面の凹部１ｃに嵌合することにより、容器本体１に装着される。そして、容器本体１内のジャバラ部材５の後端部５ａと尾栓８との間に収容部１ａが形成されており、この収容部１ａ内に液状化粧料Ｌが充填されている。なお、収容部１ａ内には、液状化粧料Ｌと共に、当該液状化粧料Ｌを撹拌するための球状の撹拌子９が収容されている。
【００２１】
収容部１ａ内の液状化粧料Ｌは、ここでは、特に好ましいとして、アイライナーとしているが、例えばアイブロウや、ヘアマスカラ等の他の液状化粧料とすることもできる。
【００２２】
中継芯３は、毛細管現象を発現するものであり、前側から後側へ向かって、前半部を構成する前側中継芯３ｘと、後半部を構成する後側中継芯３ｙと、をこの順に並設して備える。後側中継芯３ｙは、例えばＰＥＴ（ポリエチレンテレフタレート）等から形成され、断面円形を成す軸体である。この後側中継芯３ｙの先端には円錐状の尖鋭部３ａ（図３参照）が突設されている。
【００２３】
図１及び図３に示すように、前側中継芯３ｘは、例えばＰＡ（ポリアミド）より成る細い繊維を接着剤で固めた繊維の集束体とされたフェルトであり、図９及び図１０に示すように、断面円形を成す軸体の先端が尖鋭な毛筆の如き外観を呈している。具体的には、前側中継芯３ｘには、前端に向かって先細となるように、前側中継芯３ｘの軸心に対して延びる略円錐状の傾斜面３ｐが形成されている。この前側中継芯３ｘは、例えばＰＥＴ等から形成されていても良い。
【００２４】
そして、図１に示すように、中継芯３は、容器本体１内に通され、その後側中継芯３ｙが、ジャバラ部材５の筒孔を通過するように軸線方向に延在し、後側中継芯３ｙの先端側の部分が、ジャバラ部材５の溝より前側の部分と嵌合することにより、ジャバラ部材５に装着されている。この後側中継芯３ｙの後端は、収容部１ａ内に位置し液状化粧料Ｌに浸漬している。
【００２５】
前側中継芯３ｘは、その後端部が、ジャバラ部材５の先端に設けられた円筒状の嵌合部５ｂ内に押し込まれ、嵌合固定されている。前側中継芯３ｘの後端面には、後側中継芯３ｙの尖鋭部３ａが突き刺さるように進入し当接した状態になっている。
【００２６】
塗布体４は、毛細管現象を発現するものであり、例えばＰＡより成る細い繊維を接着剤で固めた繊維の集束体とされたフェルトであり、図１１及び図１２に示すように、断面円形を成す軸体の途中に段差面４ｂが形成され、当該段差面４ｂより前側が小径の断面円形の軸体とされ、その軸体の先端が尖鋭な毛筆の如き外観を呈し、その先端が塗布部４ａとされている。
【００２７】
先筒２は、塗布体４を保持するためのものであり、例えばＰＰ等から形成される。図３、図５及び図８に示すように、先筒２は筒状に構成され、容器本体１の軸心Ｃ１（図８参照）と同軸に位置し概ね直線状に前方へ延びる（軸心Ｃ１に沿って延びる）基部２ｅと、基部２ｅの先端から湾曲するようにして（折れ曲がるようにして）傾斜する傾斜部２ｂと、を備える。傾斜部２ｂは、概ね先端面から図５のVII-VII矢視線辺りまでの部分であり、基部２ｅは、傾斜部２ｂの後端から先筒２の後端までの部分である。
【００２８】
先筒２の先端から後端に貫通する筒孔は、前側から後側に向かって、図５に示すように、上記傾斜筒孔２ｃ、扁平筒孔２ｈ、後側筒孔２ｉの順に連通した状態となっている。
【００２９】
図３及び図５に示すように、傾斜筒孔２ｃは、前述した筒孔２ｃであり、その軸心が傾斜部２ｂの軸心と同軸に位置し、塗布体４のみが通る断面円形の孔である。傾斜筒孔２ｃの後端には円形の段差面２ｊ（図５及び図６参照）が拡径し、この段差面２ｊが塗布体４の抜け止めとして機能する。
【００３０】
段差面２ｊより後方の扁平筒孔２ｈ（図５参照）は、傾斜部２ｂの軸心に対して直交する断面のうち、段差面２ｊの上側の半円（図６参照）２ｄが、図５に示すように、そのまま傾斜筒孔２ｃの傾斜と同じ上り勾配の傾斜で後方へ延びていき、塗布体４を、中継芯３の先端側との間で挟み込む前述した内面２ｄを構成している。この断面半円２ｄは、そのまま傾斜筒孔２ｃの傾斜と同じ上り勾配の傾斜で後方へ延びていくと共に、段差面２ｊの下側の断面半円２ｕ（図６参照）は、図５に示すように、傾斜筒孔２ｃの傾斜とは逆の下り勾配の傾斜で後方へ延びていく扁平筒孔となっている（図６参照）。すなわち、この扁平筒孔２ｈは、図６の上下方向を長軸方向とし、これに直交する左右方向（図６の左右方向）を短軸方向とすると、その上部に断面半円を有する扁平筒孔となっている。この扁平筒孔２ｈでは、後方へ行くに従い、その下部がさらに長軸方向下方へ拡径すると共に、上下方向中央部が短軸方向側方へ徐々に拡径している。
【００３１】
そして、図７に示すように、扁平筒孔２ｈのうち、図５のVII-VII矢視線辺りから、容器本体１の軸心Ｃ１に対して傾斜部２ｂの傾斜している側とは反対側の部分（図５の上側の半円２ｄを含む部分）は、容器本体１の軸心Ｃ１に沿って後方へ延びた形状となっている。また、扁平筒孔２ｈのうち、図５のVII-VII矢視線辺りから、容器本体１の軸心Ｃ１に対して傾斜部２ｂの傾斜している側の部分（図５の下側部分）は、これより前側の扁平筒孔２ｈと同様な下り勾配の傾斜で後方へそのまま延びている（図７参照）。すなわち、先筒２の傾斜筒孔２ｃを有する筒孔部と、後側筒孔２ｉを有する後側筒孔部との間には、傾斜部２ｂと概ね同様に曲がるようにした扁平筒孔２ｈを有する扁平筒孔部２ｑが設けられている。
【００３２】
図５に示すように、扁平状の扁平筒孔２ｈに続く後側筒孔２ｉは、扁平筒孔２ｈを拡径した断面円形とされ、当該後側筒孔２ｉに進入する前側中継芯３ｘの外径にほぼ合致する。図８に示すように、基部２ｅの後側筒孔２ｉの軸心Ｃ２は、基部２ｅ（容器本体１）の軸心Ｃ１に対して傾斜部２ｂの傾斜している側（図８の下側）に多少偏心している（軸ずれしている）。これに伴い、図３に示すジャバラ部材５の嵌合部５ｂより後方の部分の軸心は、容器本体１の軸心Ｃ１と同軸であるが、嵌合部５ｂの前側中継芯３ｘを嵌合する筒孔の軸心のみ、容器本体１の軸心Ｃ１に対して傾斜部２ｂの傾斜している側に偏心している。この偏心量は、容器本体１（先筒２の基部２ｅ）の軸心Ｃ１に対する先筒２の後側筒孔２ｉの軸心Ｃ２の偏心量と同量であり、先筒２の後側筒孔２ｉの軸心と、ジャバラ部材５の嵌合部５ｂの軸心とが一致した軸心Ｃ２となる。なお、ジャバラ部材５の嵌合部５ｂの筒孔の軸心を、容器本体１の軸心Ｃ１、及び、ジャバラ部材５の嵌合部５ｂより後方の部分の軸心と同軸としても良く、この場合、基部２ｅの後側筒孔２ｉの軸心Ｃ２は、ジャバラ部材５の嵌合部５ｂの筒孔の軸心Ｃ１に対して傾斜部２ｂの傾斜している側に偏心することになり、前側中継芯３ｘは、基部２ｅの後側筒孔２ｉに進入する前側部分の軸心が、ジャバラ部材５の嵌合部５ｂの筒孔に嵌合する後側部分の軸心に対して傾斜部２ｂの傾斜している側に偏心（軸ずれ）するように構成される。
【００３３】
そして、このような構成を有する液状化粧料容器１００にあっては、図１に示すように、塗布体４は、その先端側から、先筒２の後側筒孔２ｉに内挿され、塗布体４が先筒２の傾斜部２ｂの傾斜筒孔２ｃに通される、そして、この状態で、図３に示すように、塗布体４の段差面４ｂが、先筒２の段差面２ｊに突き当てられ位置決めされた状態になっている。
【００３４】
一方、容器本体１側では、内部に後側中継芯３ｙを収容固定したジャバラ部材５のその嵌合部５ｂの筒孔に、前側中継芯３ｘの後端を嵌合し、前側中継芯３ｘの後端に尖鋭部３ａを介して後側中継芯３ｙを接続する。このとき、容器本体１及びジャバラ部材５の嵌合部５ｂより後方の部分の軸心Ｃ１に対して、前側中継芯３ｘの軸心Ｃ２は下方へ偏心している。
【００３５】
この状態で、塗布体４を収容した先筒２の後端部に容器本体１を装着すると、塗布体４は、図３及び図４に示すように、その後端部が、前側中継芯３ｘの先端部と先筒２の傾斜部２ｂの内面２ｄとの間に挟み込まれ、塗布体４と前側中継芯３ｘは接触した状態にある。そして、この状態にあっては、図３に示すように、前側中継芯３ｘの先細となる図示上側の傾斜面３ｐが、塗布体４の前側中継芯側の外面に倣って密着するため、塗布体４は、前側中継芯３ｘの先端の傾斜面３ｐと先筒２の傾斜部２ｂの内面２ｄとの間に一層しっかり挟み込まれて前側中継芯３ｘに接触した状態となっている。さらに、図３及び図４に示すように、前側中継芯３ｘの先端より後方部分の断面略半円状の図示下側の面３ｋが、先筒２の扁平筒孔２ｈの下側内面２ｋに当接するため、塗布体４は、前側中継芯３ｘの先端の傾斜面３ｐと先筒２の傾斜部２ｂの内面２ｄとの間に、より一層しっかり挟み込まれて前側中継芯３ｘに接触した状態となっている。この状態で、その段差面４ｂに先筒２の段差面２ｊが突き当てられ、傾斜筒孔２ｃを通る塗布体４は、その先端の塗布部４ａが、先筒２の開口２ａから突出し、その軸心が、先筒２の傾斜部２ｂの軸心と一致する状態となっている。
【００３６】
このように、本実施形態においては、塗布体４は、容器本体１の先端側に位置する先筒２のその先端側に形成された傾斜部２ｂの傾斜筒孔２ｃに挿入され、容器本体１内部の液状化粧料Ｌを送るべく容器本体１及び先筒２内に配置され前後方向に延びる中継芯３（前側中継芯３ｘ及び後側中継芯３ｙ）と、先筒２の傾斜部２ｂの内面（断面半円）２ｄとの間に挟み込まれて中継芯３と接触している。このため、塗布体４と中継芯３とは別部材で構成され、塗布体４及び中継芯３には曲りを必要としない。従って、塗布体４及び中継芯３が液状化粧料Ｌを含浸しても、塗布体４において先筒２の先端の開口２ａから突出する塗布部４ａに反り返りが生じることはなく、塗布部４ａの軸心と先筒２の傾斜部２ｂの軸心が一致し描きやすい液状化粧料容器となっている。また、このように、塗布体４を、先筒２の傾斜部２ｂの内面２ｄと中継芯３との間に挟み込むという簡易な構成で、塗布体４と中継芯３とを確実に接続し液状化粧料Ｌを塗布部４ａに供給できるため、組み立てを容易とし品質及び使用性を向上できる。
【００３７】
また、本実施形態においては、中継芯３には、図９及び図１０に示すように、中継芯３が前端に向かって先細となるように、中継芯３の軸心に対して傾斜して延びる傾斜面３ｐが形成され、塗布体４が、傾斜面３ｐと先筒２の内面２ｄとの間に挟み込まれるようにして中継芯３と接触しているため、図３に示すように、中継芯３の先細となる傾斜面３ｐが、塗布体４の中継芯側の外面に倣って密着し、塗布体４は、前側中継芯３ｘの先端の傾斜面３ｐと先筒２の傾斜部２ｂの内面２ｄとの間に一層しっかり挟み込まれて中継芯３に接触することになり、組立時に塗布体４と中継芯３を容易且つ確実に接触させることができ、組み立てが一層容易となる。
【００３８】
また、図４に示すように、先筒２の筒孔は、当該筒孔の軸線に垂直な断面が扁平形状を成す扁平筒孔部２ｑを有し、塗布体４と中継芯３は、扁平筒孔部２ｑの扁平筒孔２ｈの長軸方向に並設されて収容され、塗布体４は、扁平筒孔部２ｑ（傾斜部２ｂ）の内面２ｄと中継芯３との間に挟み込まれるようにして中継芯３と接触しているため、塗布体４及び中継芯３が円形の孔に並設されて収容される場合に比して、孔に対する中継芯３の接触面積が大きく、中継芯３の短軸方向へのずれを扁平筒孔部２ｑ（扁平筒孔２ｈ）により抑制できる。
【００３９】
また、先筒２は、傾斜部２ｂから容器本体１の軸線に沿って後方へ延びその後側筒孔２ｉに中継芯３（前側中継芯３ｘ）が挿入される基部２ｅを有し、基部２ｅの後側筒孔２ｉは、基部２ｅ（容器本体１）の軸心Ｃ１に対して傾斜部２ｂの傾斜している側に偏心した軸心Ｃ２を有しているため、基部２ｅの後側筒孔２ｉに挿入される中継芯３の先端部が、塗布体４の中継芯側の外面に一層容易且つ確実に接触するようになっている。
【００４０】
なお、従来技術では、塗布部として機能する中継芯は途中で曲がり長尺なため、液状化粧料Ｌを含浸すると、先筒の先端の開口からの突出度合い（寸法）の変動が大きくなるが、本実施形態の塗布体４は短く直線状のため、液状化粧料Ｌを含浸しても、先筒２の先端の開口２ａからの突出度合いの変動を抑制できる。
【００４１】
以上、本発明をその実施形態に基づき具体的に説明したが、本発明は上記実施形態に限定されるものではなく、例えば、上記実施形態においては、液状化粧料Ｌを直接収容部１ａに充填し、ジャバラ部材５により液状化粧料Ｌの液量を調節しながら中継芯３（前側中継芯３ｘ，後側中継芯３ｙ）を介して塗布体４に供給する所謂直液式を採用しているが、ジャバラ部材５がなく、液状化粧料Ｌを含浸した中綿（含浸体）を収容部１ａに収容し、中綿の液状化粧料Ｌを中継芯３を介して塗布体４に供給する所謂中綿式に対しても適用可能であり、後側中継芯３ｙが中綿の機能を兼ねて収容部１ａに収容されるタイプの液状化粧料容器に対しても適用可能である。
【００４２】
また、上記実施形態においては、特に好適であるとして、先筒２の断面半円の内面２ｄに、塗布体４の断面円形の軸体を中継芯３により押し付けているが、押し付けられる先筒２の内面形状、塗布体４の形状、押し付ける中継芯３の形状も上記実施形態に限定されるものではなく、例えば断面長方形等の他の形状としても良い。
【００４３】
また、液状化粧料容器を、押出機構により液状化粧料Ｌを押し出す液状化粧料容器や、使用者の押圧力により液状化粧料を押し出すことができるチューブやソフトボトル等のスクイーズタイプの液状化粧料容器としても良い。
【符号の説明】
【００４４】
１…容器本体、１ａ…収容部、２…先筒、２ａ…開口、２ｂ…傾斜部、２ｃ…傾斜筒孔、２ｄ…先筒の内面、２ｅ…基部、２ｈ…扁平筒孔、２ｉ…後側筒孔、２ｑ…扁平筒孔部、３…中継芯、３ｐ…傾斜面、３ｘ…前側中継芯、３ｙ…後側中継芯、４…塗布体、４ａ…塗布部、１００…液状化粧料容器、Ｃ１…基部の軸心、Ｃ２…基部の後側筒孔の軸心、Ｌ…液状化粧料。
【図１】
2019187793.tif 000003
【図２】
2019187793.tif 000004
【図３】
2019187793.tif 000005
【図４】
2019187793.tif 000006
【図５】
2019187793.tif 000007
【図６】
2019187793.tif 000008
【図７】
2019187793.tif 000009
【図８】
2019187793.tif 000010
【図９】
2019187793.tif 000011
【図１０】
2019187793.tif 000012
【図１１】
2019187793.tif 000013
【図１２】
2019187793.tif 000014